(57)【特許請求の範囲】
【請求項１】
セキュリティを確保するために部屋の出入口のドアの旋解錠を該部屋の内側に配置された親機から遠隔制御し、カメラとモニタとをそれぞれ有するカードリーダと親機との間でそれぞれのカメラおよびモニタを用いた動画像付通話により入室希望訪問者を応対者が確認し遠隔解錠制御を行う出入管理システムであって、
上記カードリーダは、上記入室希望訪問者が携帯するＩＤカードのＩＤ番号を読み取り、読み取った上記ＩＤ番号が、予め入室を許可されたＩＤ番号と一致するか否かの個人識別を行い、個人識別が成功したときだけ上記入室希望訪問者による操作に応じて親機を呼び出し、
上記親機は、上記カードリーダにより呼び出されたとき、該親機を操作する応対者が予め該親機の操作を許可された人であるか否かの個人識別を行い、個人識別が成功したときだけ該親機と上記カードリーダとの間で上記動画像付通話を可能にするとともに、上記動画像付通話により上記入室希望訪問者を確認したことに基づく上記応対者の操作により上記遠隔解錠制御を行うことで、上記入室希望訪問者の入室を可能とする
ことを特徴とする出入管理システム。
【請求項２】
上記親機による上記個人識別の内容を履歴情報として記録するサーバを備えることを特徴とする請求項１に記載の出入管理システム。
【請求項３】
上記親機を操作した応対者の記録された顔画像は動画像であることを特徴とする請求項２に記載の出入管理システム。
【請求項４】
セキュリティを確保するために部屋の出入口のドアの旋解錠を該部屋の内側に配置された親機から遠隔制御し、カメラとモニタとをそれぞれ有するカードリーダと親機との間でそれぞれのカメラおよびモニタを用いた動画像付通話により入室希望訪問者を応対者が確認し遠隔解錠制御を行う出入管理システムに適用される出入管理方法であって、
上記カードリーダにおいて、上記入室希望訪問者が携帯するＩＤカードのＩＤ番号を読み取り、読み取った上記ＩＤ番号が、予め入室を許可されたＩＤ番号と一致するか否かの個人識別を行い、個人識別が成功したときだけ上記入室希望訪問者による操作に応じて親機を呼び出すステップと、
上記親機において、上記カードリーダにより呼び出されたとき、該親機を操作する応対者が予め該親機の操作を許可された人であるか否かの個人識別を行い、個人識別が成功したときだけ該親機と上記カードリーダとの間で上記動画像付通話を可能にするとともに、上記動画像付通話により上記入室希望訪問者を確認したことに基づく上記応対者の操作により上記遠隔解錠制御を行うことで、上記入室希望訪問者の入室を可能とするステップと
を備えることを特徴とする出入管理方法。
【発明の詳細な説明】
【技術分野】
【０００１】
この発明は、セキュリティが必要な部屋への出入りを管理する出入管理システムおよび出入管理方法に関する。
【背景技術】
【０００２】
従来の出入管理システムは、複数のコンピュータがＬＡＮに接続され、ＬＡＮにネットワーク接続された訪問者用コンピュータを有し、複数のコンピュータの少なくとも２つ及び訪問者用コンピュータのそれぞれにはマイク及びスピーカが接続されており、複数のコンピュータの少なくとも２つ及び訪問者用コンピュータのそれぞれの記憶装置には、マイクからのアナログ音声信号をデジタル化しデータ圧縮しパッケ化しＬＡＮを介して送信するとともに受信したパケットをアンパケット化しアナログ音声信号化しスピーカへ出力させるインターホンプログラムが格納されている（例えば、特許文献１参照）。
【０００３】
【特許文献１】特開２００５−１２３９２０号公報
【発明の開示】
【発明が解決しようとする課題】
【０００４】
しかし、特定の訪問者用コンピュータより呼び出しが可能なコンピュータを予め決めることにより、特定の訪問者用コンピュータの呼び出し先に制限を加えることが可能であるが、コンピュータを操作できる人であれば誰でも遠隔解錠操作ができ、セキュリティ上問題となることがある。
また、コンピュータを操作して遠隔解錠操作が行われたとき、何時誰がどのコンピュータで操作したのかを後で確認することができないという問題がある。
【０００５】
この発明の目的は、セキュリティが必要な部屋への出入りの管理が高いセキュリティを確保して行う出入管理システムおよび出入管理方法を提供することである。
【課題を解決するための手段】
【０００６】
この発明に係わる出入管理システムは、セキュリティを確保するために部屋の出入口のドアの旋解錠を該部屋の内側に配置された親機から遠隔制御し、カメラとモニタとをそれぞれ有するカードリーダと親機との間でそれぞれのカメラおよびモニタを用いた動画像付通話により入室希望訪問者を応対者が確認し遠隔解錠制御を行う出入管理システムであって、上記カードリーダは、上記入室希望訪問者が携帯するＩＤカードのＩＤ番号を読み取り、読み取った上記ＩＤ番号が、予め入室を許可されたＩＤ番号と一致するか否かの個人識別を行い、個人識別が成功したときだけ上記入室希望訪問者による操作に応じて親機を呼び出し、上記親機は、上記カードリーダにより呼び出されたとき、該親機を操作する応対者が予め該親機の操作を許可された人であるか否かの個人識別を行い、個人識別が成功したときだけ該親機と上記カードリーダとの間で上記動画像付通話を可能にするとともに、上記動画像付通話により上記入室希望訪問者を確認したことに基づく上記応対者の操作により上記遠隔解錠制御を行うことで、上記入室希望訪問者の入室を可能とする。
また、この発明に係わる出入管理方法は、セキュリティを確保するために部屋の出入口のドアの旋解錠を該部屋の内側に配置された親機から遠隔制御し、カメラとモニタとをそれぞれ有するカードリーダと親機との間でそれぞれのカメラおよびモニタを用いた動画像付通話により入室希望訪問者を応対者が確認し遠隔解錠制御を行う出入管理システムに適用される出入管理方法であって、上記カードリーダにおいて、上記入室希望訪問者が携帯するＩＤカードのＩＤ番号を読み取り、読み取った上記ＩＤ番号が、予め入室を許可されたＩＤ番号と一致するか否かの個人識別を行い、個人識別が成功したときだけ上記入室希望訪問者による操作に応じて親機を呼び出すステップと、上記親機において、上記カードリーダにより呼び出されたとき、該親機を操作する応対者が予め該親機の操作を許可された人であるか否かの個人識別を行い、個人識別が成功したときだけ該親機と上記カードリーダとの間で上記動画像付通話を可能にするとともに、上記動画像付通話により上記入室希望訪問者を確認したことに基づく上記応対者の操作により上記遠隔解錠制御を行うことで、上記入室希望訪問者の入室を可能とするステップとを備えるものである。
【発明の効果】
【０００７】
この発明に係わる出入管理システムの効果は、カードリーダから呼び出しがあったとき、親機を操作する人が予め操作を許可された人の場合だけ親機の操作を続行できるようにするので、部屋の内部にいる人が不正の手続きで入室させてはいけない人を入室させてしまうという内部犯行を防ぐことができることである。
【発明を実施するための最良の形態】
【０００８】
実施の形態１．
図１は、この発明の実施の形態１に係わる出入管理システムの構成を示すブロック図である。
この発明の実施の形態１に係わる出入管理システムは、セキュリティを確保するために図示しない部屋への出入りを管理するシステムであり、その部屋の図示しない出入口に設けられた図示しないドアの電気錠１を旋解錠することにより出入りを管理する。
そして、この出入管理システムは、部屋の出入口の外側に、カードリーダ２、カードリーダ２に接続されカードリーダ２を操作する人の顔を撮影するカメラ３、カードリーダ２に接続されカードリーダ２を操作する人の音声を拾うマイク４、カードリーダ２に接続され音声を発するスピーカ５、カードリーダ２、電気錠１およびローカルエリアネットワーク（以下、ＬＡＮと称す）６に接続される端末コントローラ７を備える。
また、この出入管理システムは、部屋の中に、ＬＡＮ６に接続される複数の親機８、親機８それぞれに接続され親機８を操作する人の顔を撮影するカメラ９、親機８それぞれに接続され親機８を操作する人の音声を拾うマイク１０、親機８それぞれに接続され音声を発するスピーカ１１を備える。
【０００９】
カードリーダ２は、部屋への入室が許可されている人が携帯するＩＤカードを読み取り、個人識別処理を行って電気錠１を一旦解錠して入室を可能にする。また、カードリーダ２は、入室希望訪問者が部屋内に在席する応対者の親機８を識別する番号を入力するための図示しないボタンスイッチと応対者との動画像付通話のための図示しないモニタを備える。この応対者の親機８を識別する番号は、例えばカードリーダ２の上に表にして貼付されている。
【００１０】
親機８は、ＣＰＵ、ＲＯＭ、ＲＡＭ、インターフェース回路を有するコンピュータとモニタとを備える。コンピュータのＲＡＭには、親機８の操作を許可された人を識別するＩＤ番号が記憶され、個人識別処理では、取得したＩＤ番号と記憶されているＩＤ番号とを照合して一致するＩＤ番号があるとき個人識別が成功したとする。
親機８は、呼び出されたとき、応対者を認証するためにＩＤ番号の入力を促す内容を画面に表示し、入力されたＩＤ番号が予め操作許可登録された個人であると認証が成功した場合だけ、親機８の操作を続行できるようにする。
【００１１】
次に、実施の形態１に係わる出入管理システムの動作について図２に示すフローチャートを参照して説明する。図２は、実施の形態１に係わる出入管理システムが出入管理を行う手順を示すフローチャートである。
ステップＳ１において、入室希望訪問者はカードリーダ２より親機８を呼ぶ。
ステップＳ２において、親機８で着信し、親機８の操作者のＩＤ番号を取得する。
ステップＳ３において、取得したＩＤ番号に基づき親機８の操作者が予め登録された個人であるか否かを判断する。予め登録された個人の場合、ステップＳ４に進み、登録された個人でない場合、ステップＳ７に進む。
ステップＳ４において、カードリーダ２と親機８との間で動画像付通話を可能にし、入室希望訪問者と対応者とで会話をすることができる。
ステップＳ５において、入室希望訪問者からの要求に応じて、対応者は親機８を操作して遠隔解錠制御を行う。
ステップＳ６において、端末コントローラ７により電気錠１が解錠され、ドアが一時的に開き、入室希望訪問者が室内に入ることができる。
一方、ステップＳ７において、親機８よりカードリーダ２に対して接続拒否する。
ステップＳ８において、親機８と接続できなかったことをカードリーダ２に表示する。
【００１２】
この実施の形態１に係わる出入管理システムは、カードリーダ２から呼び出しがあったとき、親機８を操作する人が予め操作を許可された人の場合だけ親機８の操作を続行できるようにするので、部屋の内部にいる人が不正の手続きで入室させてはいけない人を入室させてしまうという内部犯行を防ぐことができる。
【００１３】
なお、個人識別の方法としては、ＩＤ番号の入力以外にも、指紋認証装置を親機８に接続して指紋を取得してもよい。
また、カメラ９から取り込まれた応対者の顔画像を用いて顔形認証を行って個人識別を行ってよい。顔形認証のために別のカメラを備えなくても動画像付通話のためのカメラ９で兼用することができる。また、顔形認証は親機８に実装するプログラムを読み出すことにより実現可能である。
【００１４】
また、指紋認証または顔形認証で個人識別処理を行えば、ＩＤ番号で個人認証処理を行うことと違って、より安全に操作できる応対者を制限することができる。なお、ＩＤ番号であれば、ランダムに入力したとき一致することも起こり得る。
【００１５】
実施の形態２．
図３は、この発明の実施の形態２に係わる出入管理システムの構成を示すブロック図である。
この発明の実施の形態２に係わる出入管理システムは、実施の形態１に係わる出入管理システムにＬＡＮ６に接続されたサーバ１４を追加し、それにともなって親機８の動作が異なり、それ以外は同様であるので、同様な部分に同じ符号を付記して説明は省略する。
この実施の形態２に係わるサーバ１４は、親機８を識別するために付加された番号、操作時刻、操作した応対者のＩＤ番号、解錠などの操作内容などが履歴情報として記録される。
この実施の形態２に係わる親機８は、個人識別が成功した後、着信したことを、個人識別が成功しなかった後、接続できなかったことを、動画像付通話を行った後、画像および通話内容を、遠隔解錠制御の操作をした後、制御内容をサーバ１４に記録する。
【００１６】
次に、実施の形態２に係わる出入管理システムの動作について図４に示すフローチャートを参照して説明する。図４は、実施の形態２に係わる出入管理システムが出入管理を行う手順を示すフローチャートである。
ステップＳ１１において、入室希望訪問者はカードリーダ２より親機８を呼ぶ。
ステップＳ１２において、親機８で着信し、親機８を操作する応対者のＩＤ番号を取得する。
ステップＳ１３において、親機８で着信したことをサーバ１４に履歴として記録する。
ステップＳ１４において、取得したＩＤ番号を用いて個人識別処理を行い、予め登録された個人であるか否かを判断する。予め登録された個人の場合、ステップＳ１５に進み、登録された個人でない場合、ステップＳ２０に進む。
ステップＳ１５において、カードリーダ２と親機８との間で動画像付通話を可能にし、入室希望訪問者と応対者とで会話する。
ステップＳ１６において、画像および通話内容をサーバ１４に履歴として記録する。
ステップＳ１７において、入室希望訪問者からの要求に応じて、応対者は親機８を操作して遠隔解錠制御を行う。
ステップＳ１８において、遠隔解錠制御の制御内容をサーバ１４に履歴として記録する。
ステップＳ１９において、端末コントローラ７により電気錠１が解錠され、ドアが一時的に開き、入室希望訪問者が室内に入ることができる。
一方、ステップＳ２０において、親機８よりカードリーダ２に対して接続拒否する。
ステップＳ２１において、親機８と接続できなかったことをカードリーダ２に表示する。
ステップＳ２２において、接続できなかったことをサーバ１４に履歴として記録する。
【００１７】
このように親機８を操作した応対者と操作内容が記録されるので、入室させてはいけない人を入室させるなどの内部犯行の操作も記録され、犯行内容を確認することができる。
【００１８】
なお、親機を操作した応対者の記録された履歴としてＩＤ番号を用いているが、動画像付通話で得られた動画像であってもよく、記録容量は大きくなるが、ＩＤ番号だけであれば、なりすましにより操作できた場合本人かどうかを確認できないが、顔画像を記録していれば、本人か否かを確認することができ、不審な行動を記録に残される可能性があるので、セキュリティ性が高まる。
また、応対者の正面の顔画像を記録してもよく、顔の様子が最もよく判別できるとともに、記録に必要な記録媒体の容量が少なくて済む。
また、サーバ１４を設置せず、親機８に履歴情報を記録してもよい。
【図面の簡単な説明】
【００１９】
【図１】この発明の実施の形態１に係わる出入管理システムの構成を示すブロック図である。
【図２】実施の形態１に係わる出入管理システムが出入管理を行う手順を示すフローチャートである。
【図３】この発明の実施の形態２に係わる出入管理システムの構成を示すブロック図である。
【図４】実施の形態２に係わる出入管理システムが出入管理を行う手順を示すフローチャートである。
【符号の説明】
【００２０】
１  電気錠、２  カードリーダ、３、９  カメラ、４、１０  マイク、５、１１  スピーカ、６  ローカルエリアネットワーク、７  端末コントローラ、８  親機、１４  サーバ。
【図１】
0004850659.tif 000002
【図２】
0004850659.tif 000003
【図３】
0004850659.tif 000004
【図４】
0004850659.tif 000005